(57)【要約】      （修正有）【課題】低品質のオーディオファイルしか復号できないメディアプレーヤの互換性を与えながら、最小のファイルサイズで高画質のオーディオフォーマットを提供する方法および装置を提供する。【解決手段】線形のパルスコード変調（ＬＰＣＭ）１９２／２４データ流は２つに分割される。一次データ流はＬＰＣＭ９６／２４（９６ＫＨｚサンプリングレートと２４ビットサンプルサイズ）フォーマットであり、二次ビット流はＬＰＣＭ１９２／２４フォーマットのサポートで必要とされる付加的なビットからなる。ＬＰＣＭ１９２／２４フォーマットを読取ることのできるプレーヤは一次ビット流と二次ビット流を組合せ、レンダリングのために複合ＬＰＣＭ１９２／２４ビットストリームを生成する。組合わされたサイズはＬＰＣＭ９６／２４の別々の強制オーディオストリームをサポートするＬＰＣＭ１９２／２４の現在の構成によって生成されるファイルサイズよりも小さい。【選択図】図１
2006221787.tif 000002
【特許請求の範囲】
【請求項１】
記憶媒体を使用して、オーディオ信号を発生する方法において、
オリジナルオーディオ信号のデジタル表示を含むデータファイルを前記記憶媒体に記憶し、
前記データファイルから第１及び第２の基本データストリームを発生し、
第１のオーディオ品質で第１のオーディオ信号を発生するために前記第１の基本データストリームを使用し、
第２のオーディオ品質で第２のオーディオ信号を発生するために前記第２の基本データストリームを使用するステップを含んでいる方法。
【請求項２】
前記第１の基本データストリームは前記オリジナルオーディオ信号の９６ＫＨｚ／２４ビットのデジタル表示を含んでいる請求項１記載の方法。
【請求項３】
前記第２の基本データストリームは前記第２のオーディオ品質で前記第２のオーディオ信号を発生するために前記第１の基本データストリームと組合わされる付加的なデータビットを含んでいる請求項１記載の方法。
【請求項４】
前記第２の基本データストリームは１９２ＫＨｚでサンプルされるデータを含む複数のデータフレームを含み、前記データストリームの交番するフレームはそれぞれ０ビット長のワードと２４ビットワードとして書き込まれ、２４ビットワードを含む前記フレーム中のデータは複数の１９２ＫＨｚ／２４ビットデータフレームを有するオーディオ信号を発生するために前記第１の基本データ流のデータと組合わされる請求項３記載の方法。
【請求項５】
前記第１及び第２の基本データストリームは、
前記オリジナルオーディオ信号に対応する１９２ＫＨｚ／２４ビットデータストリームを発生し、
複数の連続する奇数及び偶数番号の濾波された１９２ＫＨｚ／２４ビットデータフレームを発生するために９６ＫＨｚフィルタを使用し、
前記オリジナルオーディオ信号の９６ＫＨｚ／２４ビット表示を発生するために前記連続的な奇数フレームを使用することによって生成され、
前記１９２ＫＨｚ／２４ビット信号は複数の連続する奇数及び偶数番号の１９２ＫＨｚ／２４ビットデータフレームを含んでいる請求項１記載の方法。
【請求項６】
前記オリジナルオーディオ信号の前記９６ＫＨｚ／２４ビット表示の発生に使用される前記複数の連続する奇数番号の前記１９２ＫＨｚ／２４ビットデータフレームは、４８ＫＨｚのエイリアス除去フィルタを使用して濾波される請求項１記載の方法。
【請求項７】
前記複数の連続的な偶数番号のデータフレームは補間を使用し、ハイパス濾波して処理されて高周波数データを有する複数の付加的な奇数番号のデータフレームを発生する請求項６記載の方法。
【請求項８】
前記付加的な奇数番号のデータフレームは前記複数の濾波された奇数番号の１９２ＫＨｚ／２４ビットデータフレームと組合わされ、複数の１９２ＫＨｚ／２４ビットの奇数番号のデータフレームを発生する請求項７記載の方法。
【請求項９】
前記複数の１９２ＫＨｚ／２４ビットの奇数番号のデータフレームは前記複数の１９２ＫＨｚ／２４ビットの偶数番号のデータフレームと組合わされて、１９２ＫＨｚ／２４ビットオーディオ信号を発生する請求項８記載の方法。
【請求項１０】
前記第１及び第２の基本データストリームは、
前記オリジナルオーディオ信号に対応する１９２ＫＨｚ／２４ビットデータストリームを発生し、
複数の連続する奇数及び偶数番号の１９２ＫＨｚ／２４ビットデータフレームを発生するために４８ＫＨｚフィルタを使用し、
前記オリジナルオーディオ信号の９６ＫＨｚ／２４ビット表示を発生するために前記連続的な奇数番号フレームを使用することによって生成され、
前記１９２ＫＨｚ／２４ビット信号は複数の連続する奇数及び偶数番号の１９２ＫＨｚ／２４ビットデータフレームを含んでいる請求項４記載の方法。
【請求項１１】
前記複数の奇数及び偶数番号のフレームは１９２ＫＨｚ／２４ビットオーディオ信号を発生するために組合わされる請求項１０記載の方法。
【請求項１２】
オーディオ信号を発生する情報処理システムにおいて、
オリジナルオーディオ信号のデジタル表示を有するデータファイルを記憶するように構成されているデータ記憶媒体と、
前記データファイルを処理するように構成されているプロセッサとを具備し、そのプロセッサは、
前記データファイルから第１及び第２の基本データストリームを発生し、
第１のオーディオ品質で第１のオーディオ信号を発生するために前記第１の基本データストリームを使用し、
第２のオーディオ品質で第２のオーディオ信号を発生するために前記第２の基本データストリームを使用する情報処理システム。
【請求項１３】
前記第１の基本データストリームは前記オリジナルオーディオ信号の９６ＫＨｚ／２４ビットのデジタル表示を含んでいる請求項１２記載の情報処理システム。
【請求項１４】
前記第２の基本データストリームは前記第２のオーディオ品質で前記第２のオーディオ信号を発生するために前記第１の基本データストリームと組合わされる付加的なデータビットを含んでいる請求項１２記載の情報処理システム。
【請求項１５】
前記第２の基本データストリームは１９２ＫＨｚでサンプルされるデータを含む複数のデータフレームを有し、前記データストリームの交番するフレームはそれぞれ０ビット長のワードと２４ビットワードとして書き込まれ、２４ビットワードを含む前記フレームのデータは複数の１９２ＫＨｚ／２４ビットデータフレームを有するオーディオ信号を発生するために前記第１の基本データ流中のデータと組合わされる請求項１４記載の情報処理システム。
【請求項１６】
前記第１及び第２の基本データストリームは、
前記オリジナルオーディオ信号に対応する１９２ＫＨｚ／２４ビットデータストリームを発生し、
複数の連続する奇数及び偶数番号の濾波された１９２ＫＨｚ／２４ビットデータフレームを発生するために９６ＫＨｚフィルタを使用し、
前記オリジナルオーディオ信号の９６ＫＨｚ／２４ビット表示を発生するために前記連続的な奇数番号フレームを使用することによって生成され、
前記１９２ＫＨｚ／２４ビット信号は複数の連続する奇数及び偶数番号の１９２ＫＨｚ／２４ビットデータフレームを含んでいる請求項１２記載の情報処理システム。
【請求項１７】
前記オリジナルオーディオ信号の前記９６ＫＨｚ／２４ビット表示の発生に使用される前記複数の連続する奇数番号の前記１９２ＫＨｚ／２４ビットデータフレームは、４８ＫＨｚのエイリアス除去フィルタを使用して濾波される請求項１２記載の情報処理システム。
【請求項１８】
前記複数の連続的な偶数番号のデータフレームは補間を使用し、ハイパス濾波して処理されて高周波数データを有する複数の付加的な奇数番号のデータフレームを発生する請求項１７記載の情報処理システム。
【請求項１９】
前記付加的な奇数番号のデータフレームは前記複数の濾波された奇数番号の１９２ＫＨｚ／２４ビットデータフレームと組合わされて複数の１９２ＫＨｚ／２４ビットの奇数番号のデータフレームを発生する請求項１８記載の情報処理システム。
【請求項２０】
前記複数の１９２ＫＨｚ／２４ビットの奇数番号のデータフレームは前記複数の１９２ＫＨｚ／２４ビットの偶数番号のデータフレームと組合わされて、１９２ＫＨｚ／２４ビットオーディオ信号を発生する請求項１９記載の情報処理システム。
【請求項２１】
前記第１及び第２の基本データストリームは、
前記オリジナルオーディオ信号に対応する１９２ＫＨｚ／２４ビットデータストリームを発生し、
複数の連続する奇数及び偶数番号の１９２ＫＨｚ／２４ビットデータフレームを発生するために４８ＫＨｚフィルタを使用し、
前記オリジナルオーディオ信号の９６ＫＨｚ／２４ビット表示を発生するために前記連続的な奇数番号フレームを使用することによって生成され、
前記１９２ＫＨｚ／２４ビット信号は複数の連続する奇数及び偶数番号の１９２ＫＨｚ／２４ビットデータフレームを含んでいる請求項１５記載の情報処理システム。
【請求項２２】
前記複数の奇数及び偶数番号のフレームは１９２ＫＨｚ／２４ビットオーディオ信号を発生するために組合わされる請求項２１記載の情報処理システム。
【発明の詳細な説明】
【技術分野】
【０００１】
本発明は一般的にデジタル記録の分野に関し、特に異なる品質の２以上のオーディオフォーマットをサポートするためのデジタルオーディオ内容を生成する分野に関する。
【背景技術】
【０００２】
情報の価値と使用が増加するにつれて、個人および企業は情報の処理と記憶のための付加的な方法を模索している。ユーザに利用可能な１つの選択肢は情報処理システムである。情報処理システムは通常、企業、個人またはその他の目的で情報またはデータを処理し、コンパイルし、記憶および／または通信し、それによってユーザは情報の価値を利用できる。技術及び情報処理の必要性及び要求は異なるユーザまたは応用によって変化するので、情報処理システムもどのような情報が処理され、記憶され、または通信されるか、情報がどの程度迅速及び効率的に処理され、記憶され、または通信されるかに関しても変化する。情報処理システムのバリエーションはそれが汎用であるか、財務トランザクション処理、航空機の予約、企業データの記憶、またはグローバル通信のような特定のユーザまたは特定の使用に対して構成されることを可能にする。さらに、情報処理システムは情報の処理、記憶および通信をするように構成されることができる種々のハードウェア及びソフトウェアコンポーネントを含むことができ、１以上のコンピュータシステム、データ記憶システム、ネットワーク化システムを含むことができる。情報処理システムは継続してハードウェアコンポーネントとソフトウェアアプリケーションの両者における情報の生成および管理の能力を改良している。
【０００３】
情報処理システムを使用するための最も急速に成長しているアプリケーションはオーディオ−ビジュアルシステムの分野、特に高画質テレビジョン（ＨＤＴＶ）に関する分野である。ＨＤＴＶの普及の増加によって、予め記録された高画質のビデオ及びオーディオ内容に対する消費者の需要は急速に増加している。オーディオ品質を高画質ビデオに合わせる必要性により、１９２ＫＨｚのサンプリング速度と２４ビットのサンプルサイズを有する、以後ＬＣＭＰ  １９２／２４と呼ばれる線形パルスコード変調（ＬＰＣＭ）のような技術を使用して、新しいデジタルオーディオ生成フォーマットが開発されている。
【０００４】
ＬＣＭＰ  １９２／２４高画質フォーマットにおけるオーディオ内容の生成は、特に多数のチャンネルが符号化されるとき非常に大きいデータファイルを生成する。これらの大きいファイルサイズに適合する必要性により、“高画質”ＤＶＤ（ＨＤ−ＤＶＤ）と“ブルーレイ”のような高容量のフォーマットが開発されており、これら両者はデジタル内容の読取り及び書込みのためにブルーレーザを使用する。オリジナルＤＶＤ容量は単一層フォーマットで４．７ＧＢに限定され、２重層フォーマットでは８．４ＧＢに限定された。ＨＤ−ＤＶＤは層当り１５ＧＢの容量を有し、一方ブルーレイは層当り２５ＧＢを転送することができる。二重層のバージョンでは、２つのフォーマットがそれぞれ３０ＧＢと５０ＧＢの容量を提供することができる。これらの高い容量のメディアは高画質ビデオとオーディオ内容に固有の必要とされる大きいファイルサイズに適合するための解決策を提供するかのように見える。
【０００５】
しかしながら、ベースレベルのデジタルメディアプレーヤ、および古いデジタルアナログ変換器（ＤＡＣ）を使用する新しいプレーヤ、および能力の劣るデジタルプロセッサは、その本来のモードで、ＬＰＣＭ１９２／２４を解釈することができない。ＬＰＣＭ１９２／２４フォーマットで分配される内容を後向きの互換性にするため、標準的なデジタルオーディオフォーマットの第２のオーディオトラックに対して強制的なサポートが必要とされる。新しいディスクフォーマットは強制的な第２のオーディオトラックに対してＬＰＣＭ９６／２４、ドルビーデジタル（ＡＣ−３）またはＤＴＳ（デジタルシアターシステム）５．１を特定し、これは現在の構成下で、ＬＰＣＭ１９２／２４ビットストリームに付加して含まれる。
【発明の開示】
【発明が解決しようとする課題】
【０００６】
新しいディスクフォーマットの現在の構成下で、強制的な二次オーディオトラックはベースレベルのメディアプレーヤにより認識され、処理のために抽出されることができる。９６ＫＨｚのサンプリング速度と２４ビットのサンプルサイズを有するＬＰＣＭ９６／２４はＬＰＣＭ１９２／２４後、最高のオーディオ品質を提供し、全てのベースレベルのプレーヤによる読み取りが可能であるので、強制的な二次オーディオストリームに対して好ましいフォーマットである。ドルビーデジタルとＤＴＳ（デジタルシアターシステム）５．１はそれぞれ４８ＫＨｚ／１６ビットと４８ＫＨｚ／２０ビットで符号化されるので、これらが提供する品質は低下し、損失のある圧縮標準である。
【０００７】
ＬＰＣＭ９６／２４とＬＰＣＭ１９２／２４の両ビットストリームの両者を含む現在の構成は不釣合いに大きいファイルサイズを生成する。これらの大きいファイルは、高画質ビデオ内容と組み合わされるとき、ファイルサイズが結合されることになり、ディスク容量を超える。１例として、６チャンネル（左、中央、右、左後、右後、低周波数）のＬＰＣＭ１９２／２４オーディオフォーマットは２７Ｍｂｐｓを必要とする。高い圧縮率で圧縮された高画質ビデオは６Ｍｂｐｓを必要とする。９６ＫＨｚと２４ビットにおける現在の構成では、強制的な二次オーディオチャンネルのサポートはさらに付加的な１４．４Ｍｂｐｓを必要とし、全体として４７．４Ｍｂｐｓを必要とする。２５ＧＢブルーレイＤＶＤはこの組合わされたビットストリーム速度で７０分間の内容しかサポートできない。
【０００８】
現在、内容のオーサーに対して最も共通の解決方法は低品質の強制的なオーディオストリーム（例えばドルビーデジタルまたはＤＴＳ）を埋設することであり、これはディスクの容量限度内に全ての必要な内容を適合することを助けるために事後生成オーディオファイルサイズを減少する。この方法は強制的な二次オーディオフォーマットをサポートするＬＰＣＭ１９２／２４の要件をサポートしながら、ＬＰＣＭ１９２／２４ではなく高品質の強制的なオーディオフォーマット（例えばＬＰＣＭ９６／２４）を復号できるメディアプレーヤの所有者に利用可能なオーディオ品質を制限する。
【０００９】
前述の説明を考慮すると、メディアの容量を超過せずにＬＰＣＭ１９２／２４ファイルを与えながら、高品質のオーディオフォーマット（例えばＬＰＣＭ９６／２４）をベースレベルのメディアプレーヤに提供するためのシステムが必要とされている。
【課題を解決するための手段】
【００１０】
本発明はＬＰＣＭ１９２／２４ビットストリームが２つの基本的なストリームに分割されることを可能にする方法及び装置を提供することにより従来技術の不適切さを克服する。本発明の１実施形態では、一次ビットストリームはＬＰＣＭ９６／２４（９６ＫＨｚサンプリングレートと２４ビットサンプルサイズ）フォーマットであり、これは強制的なオーディオフォーマットとしてメディアプレーヤにより解釈（レンダリング？）されることができる。二次ビット流はＬＰＣＭ１９２／２４フォーマットのサポートで必要とされる付加的なビットからなる。ＬＰＣＭ９６／２４フォーマットだけをレンダリングできるメディアプレーヤはその本来のフォーマットで一次ビット流をレンダリングすることにより動作できる。ＬＰＣＭ１９２／２４フォーマットをレンダリングできるプレーヤは一次ビット流と二次ビット流を組合せ、レンダリングのために複合ＬＰＣＭ１９２／２４ビットストリームを生成する。結果的な一次ビット流と二次ビット流の組合わされたサイズはＬＰＣＭ９６／２４の二次オーディオストリームをサポートするＬＰＣＭ１９２／２４の現在の構成によって生成されるファイルサイズよりも小さい。本発明の方法及び装置を使用して、高画質のオーディオフォーマットが減少したファイルサイズでサポートされ、ベースレベルのメディアプレーヤはこれらがサポートすることのできる最高品質のオーディオフォーマットをレンダリングすることができる。
【発明を実施するための最良の形態】
【００１１】
本発明はより良好に理解され、その多数の目的、特徴、利点は添付図面を参照することにより当業者に明白になるであろう。幾つかの図面を通して同じ参照符号は同じまたは類似の素子を示している。  
図１は、本発明の方法及び装置の実行に使用されることのできる情報処理システム100の概略図である。この情報処理システムはプロセッサ102と、ディスプレイ、キーボード、マウス及び関連する制御装置のような入力／出力（Ｉ／Ｏ）装置104と、ハードディスクドライブ106と、フロッピー（登録商標）ドライブ及び他のメモリ装置のような他の記憶装置108と、種々の他のサブシステム110とを含んでおり、全て１以上のバス112により相互接続されている。本発明の１実施形態では、以下詳細に説明するように、サブシステム110はディスク116を具備する光ディスクシステム114を含んでおり、このディスク116は高品質のオーディオ信号を発生するために処理されることのできる複数のデータストリームを発生するためのデータを含んでいる。以下詳細に説明するように、１つのビットストリームは強制的な後向き互換性フォーマットであり、これはデジタルアナログ（ＤＡＣ）変換器118により処理され、一方、他のビットストリームはＤＡＣ120により処理されることのできる随意選択的な高品質フォーマットである。ディスク116からのビデオデータビットストリームはビデオＤＡＣ122により処理される。
【００１２】
この説明の目的では、情報処理システムはビジネス、科学、制御またはその他の目的のために情報、インテリジェンスまたはデータの任意の形態をコンピュータ処理し、区分し、処理し、送信し、受信し、検索し、発生し、記憶し、表示し、マニフェストし、検出し、記録し、再生し、管理または使用するように動作する任意の手段または手段の集合を含むことができる。例えば情報処理システムはパーソナルコンピュータ、ネットワーク記憶装置、または任意の他の適切な装置であってもよく、大きさ、形状、性能、機能、価格において変化してもよい。情報処理システムはランダムアクセスメモリ（ＲＡＭ）、中央処理装置（ＣＰＵ）またはハードウェア或いはソフトウェア制御論理装置のような１以上の処理リソース、読取専用メモリ（ＲＯＭ）および／またはその他のタイプの不揮発性メモリを含むことができる。情報処理システムの付加的なコンポーネントには１以上のディスクドライブ、外部装置と通信するための１以上のネットワークポート、ならびにキーボード、マウス、ビデオディスプレイ等の種々の入力及び出力（Ｉ／Ｏ）装置を含むことができる。情報処理システムはまた種々のハードウェアコンポーネント間で通信を送信するように動作可能な１以上のバスを含むことができる。
【００１３】
図２はオーディオ内容を二重ストリームのＬＰＣＭ１９２／２４フォーマットに生成する方法および装置で実施されるデータ構造の概略図である。本発明の種々の実施形態では、図２に示されているデータフォーマットは高品質の（例えばＬＰＣＭ９６／２４）強制オーディオフォーマットをサポートすることができるが、同一品質の強制二次オーディオフォーマットを有するＬＰＣＭ１９２／２４の現在の構成よりも消費する記憶スペースが少ない。
【００１４】
デジタルオーディオ生成プロセス中に、２つのビットストリーム200と210は同一のオーディオ内容から発生される。本発明の１実施形態では、ビットストリーム200はサポートされることを要求された強制オーディオフォーマットの１つであり、９６ＫＨｚでサンプルされ２４ビットワードとして書き込まれたオーディオ内容の逐次的な（進行中の）フレーム202、204からなる。ビットストリーム210は１９２ＫＨｚでサンプルされた逐次的（及び進行中の）フレーム212、214、216、218からなる。しかしながら、交番する（及び進行中の）フレーム212、216は０ビットの長さのワードとして書込まれ、交番する（及び進行中の）フレーム214、218は２４ビットの長さのワードとして書込まれる。
【００１５】
この実施形態では、ＬＰＣＭ９６／２４フォーマットだけを与えることのできるメディアプレーヤは図１に示されている強制フォーマットＤＡＣ118により復号される逐次的な（および進行中の）フレーム222、224からなるＬＰＣＭ９６／２４ビットストリーム220を認識する。この実施形態では、ＬＰＣＭ１９２／２４フォーマットを提供できるメディアプレーヤは実時間でビットストリーム200と210を単一のビットストリーム230に結合し、そのビットストリーム230は逐次的（及び進行中の）１９２ＫＨｚの２４ビットストリーム232、234、236、238からなり、その後図１に示されている随意選択的な高品質のＤＡＣ120により示される。
【００１６】
本発明は、以下にさらに詳細に説明するように、随意選択的なＬＰＣＭ１９２／２４フォーマットの現在の構成と比較して、事後生成ファイルのサイズを非常に減少させることにより、強制的な一次オーディオストリームを発生するために複数のオーディオフォーマットをサポートすることができる。当業者は本発明がネットワーク転送のためにオーディオファイルを転送するのに必要な帯域幅を減少するために同様に適用可能であることを認識するであろう。
【００１７】
図３は本発明がオリジナルＬＰＣＭ１９２／２４ビットストリームを２つの結果的なビットストリームに分割する態様をさらに詳細した図である。一次オーディオストリームと二次オーディオストリームとの間でサンプルからサンプルへの同期を維持するために、オーディオ内容300はオリジナルＬＰＣＭ１９２／２４ビットストリーム310として最初に生成されなければならない。本発明の１実施形態では、オリジナルＬＰＣＭ１９２／２４ビットストリーム310の生成は９６ＫＨｚのローパスでエイリアス除去のカットオフフィルタ（ｆｃ）を有するアナログデジタル変換器（ＡＤＣ）302を使用する。オリジナルＬＰＣＭ１９２／２４ビットストリーム310は“ｎ”個の逐次的な１９２ＫＨｚ−２４ビットフレームからなる。フレームの半分は“奇数”として指定され、これは第１のフレーム312で開始し、フレーム番号“ｎ−１”として参照される最後から２番目のフレーム316まで継続する。ＬＰＣＭ１９２／２４フレーム330の残りの半分は“偶数”として指定され、これは第２のフレーム314で開始し、フレーム番号“ｎ”として参照される最後のフレーム318まで継続する。
【００１８】
本発明の１実施形態では、中間の一次９６ＫＨｚ−２４ビットオーディオビットストリーム320は強制的なオーディオフォーマットの要求を満たすためにオリジナルＬＰＣＭ１９２／２４ビットストリーム310から抽出される。中間の一次９６ＫＨｚ−２４ビットのオーディオビットストリーム320は奇数番号のサンプル322、324により発生され、オリジナルＬＰＣＭ１９２／２４ビットストリーム310のフレーム“ｎ−１”により参照される最後の奇数サンプル326まで継続する。結果的な中間の一次９６ＫＨｚ−２４ビットオーディオビットストリーム320はその後、エイリアス除去のために４８ＫＨｚの（ｆｃ）を有するローパス周波数フィルタ340ヘ送られる。濾波された９６ＫＨｚ−２４ビットオーディオビットストリーム360は濾波されたフレーム362、364から、“ｎ−１ｆ”として参照される最後の濾波されたフレーム326まで継続するように与えられる。
【００１９】
第２の中間ビットストリーム330は残りの偶数番号のフレーム332、334からフレーム番号“ｎ”として参照される336まで継続するフレームから構成される。この第２の中間ビットストリーム330は以下説明する付加的な処理ステップを経て最終的な１９２／２４ビットストリーム390を生成するために使用される。
【００２０】
濾波された９６ＫＨｚ−２４ビットオーディオビットストリーム360は４８ＫＨｚの（ｆｃ）を有するローパス周波数フィルタ340により生成され、低周波数情報を含む偶数番号のフレームを生じる。第２の中間ビットストリーム330は９６ＫＨｚの（ｆｃ）を有し、これはハイパス周波数フィルタ350を通過し、高周波数オーディオデータを伝送する奇数番号のフレーム372、374からフレーム“ｎ−１ｉ”として参照される376まで継続するフレームから構成されているビットストリーム370を生成するための補間プロセスと組合わせて使用される。
【００２１】
高周波数オーディオデータを有する奇数のサンプルを含んでいる補間されたサンプルビットストリーム370は濾波された９６ＫＨｚ−２４ビットオーディオビットストリーム360と組合わせられ、フル周波数フレーム382、384から“ｎ−１ｆ”と呼ばれる最後の濾波されるフレーム386まで継続するフレームからなるフル周波数の強制ビットストリーム380を生成する。このフル周波数の一次ビット流380はＬＰＣＭ９６／２４フォーマットを復号できるメディアプレーヤによりレンダリングされることができる。フル周波数の一次ビット流380は中間二次ビット流330と組み合わされてフル周波数の奇数フレーム392から“ｎ−１”として参照される最後の奇数フレーム396まで継続するフレームと、フル周波数の偶数フレーム394から“ｎ”として参照される最後の偶数フレーム398まで継続するフレームとからなる最終的なフル周波数ＬＰＣＭ１９２／２４ビットストリーム390を生成する。最終的なフル周波数ＬＰＣＭ１９２／９４ビットストリーム390はその後、ＬＰＣＭ１９２／９４フォーマットを復号できる任意のメディアプレーヤによりレンダリングされることができる。
【００２２】
図４は通常１９２ＫＨｚのサンプリング速度から実現されるよりも僅かに低い周波数範囲を生じるが、高いサンプリング周波数のために低雑音の利点を有する本発明の別の実施形態を示している。一次オーディオストリームと二次オーディオストリームとの間でサンプルからサンプルの同期性を維持するために、オーディオ内容400はオリジナルＬＰＣＭ１９２／２４ビットストリームとして最初に生成されなければならない。本発明の１実施形態では、オリジナルＬＰＣＭ１９２／２４ビットストリーム410の生成は４８ＫＨｚのローパスでエイリアス除去のカットオフフィルタ（ｆｃ）を有するアナログデジタル変換器（ＡＤＣ）402を使用する。オリジナルＬＰＣＭ１９２／２４ビットストリーム410は“ｎ”個の数の逐次的な１９２ＫＨｚ−２４ビットフレームからなる。フレームの半分は“奇数”として指定され、これは第１のフレーム412で開始し、フレーム番号“ｎ−１”として参照される最後から２番目のフレーム416まで継続する。ＬＰＣＭ１９２／２４フレーム430の残りの半分は“偶数”として指定され、これは第２のフレーム414で開始し、フレーム番号“ｎ”として参照される最後のフレーム418まで継続する。
【００２３】
本発明の１実施形態では、中間の一次９６ＫＨｚ−２４ビットオーディオビットストリーム420は強制的なオーディオフォーマットの要求を満たすためにオリジナルＬＰＣＭ１９２／２４ビットストリーム410から抽出される。中間の一次９６ＫＨｚ−２４ビットのオーディオビットストリーム420は奇数番号のサンプル422、424から、オリジナルＬＰＣＭ１９２／２４ビットストリーム410のフレーム“ｎ−１”により参照される最後の奇数サンプル426まで継続するサンプルにより生成される。中間の二次９６ＫＨｚ−２４ビットオーディオビットストリーム430は残りの偶数番号のフレーム432、434からフレーム番号“ｎ”として参照される436まで継続するフレームから構成される。
【００２４】
中間の一次９６ＫＨｚ−２４ビットオーディオストリーム420は第２の中間９６ＫＨｚ−２４ビットオーディオストリーム430と組み合わされて限定された周波数の奇数フレーム432から“ｎ−１”として参照される最後の奇数フレームである436まで継続するフレームと、限定された周波数の偶数フレーム434から“ｎ”として参照される最後の偶数フレーム438まで継続するフレームとからなる最終的なＬＰＣＭ１９２／２４ビットストリーム490を生成する。最終的なＬＰＣＭ１９２／２４ビットストリーム430はその後、ＬＰＣＭ１９２／２４フォーマットを復号できる任意のメディアプレーヤによりレンダリングされることができるが、現在のＬＰＣＭ１９２／２４構造で明白なフルスペクトルコンポーネントを有するオーディオ内容を生成しない。
【００２５】
本発明の使用は最低でも、高品質の強制的なオーディオフォーマットが分配されているメディア容量の限定に適合するように減少されたファイルサイズのＬＰＣＭ１９２／９４構造の一部としてサポートされることができることを確実にする。さらに、ＬＰＣＭ１９２／２４フォーマットのオーディオ内容を読取ることができないメディアプレーヤは、メディア容量の限定による低い品質のオーディオフォーマットではなく、ＬＰＣＭ９６／２４フォーマットで同じオーディオ内容をレンダリングすることができるであろう。
【００２６】
本発明を詳細に説明したが、種々の変更、置換、別の形態が特許請求の範囲に限定されている本発明の技術的範囲から逸脱せずに行われることができることが理解されるであろう。
【図面の簡単な説明】
【００２７】
【図１】本発明の方法及び装置の実行に使用されることのできる情報処理システムの概略図。
【図２】オーディオ内容を二重ストリームのＬＰＣＭ１９２／２４フォーマットに生成する方法および装置の概略図。
【図３】本発明がオリジナルＬＰＣＭ１９２／２４ビットストリームを２つの結果的なビットストリームに分割する態様の詳細図。
【図４】僅かに低い忠実度（周波数？）を生じる本発明の別の実施形態を示す図。
【図１】
2006221787.tif 000003
【図２】
2006221787.tif 000004
【図３】
2006221787.tif 000005
【図４】
2006221787.tif 000006
【外国語明細書】
2006221787000001.pdf